(57)【要約】【課題】顕微鏡および顕微鏡用の焦点合わせ装置を提供する。【解決手段】本発明は、顕微鏡および顕微鏡用の焦点合わせ装置を開示する。焦点合わせ装置は、顕微鏡の光軸に沿って顕微鏡台の移動を行うために、焦点合わせ装置の第１の軸に装着される少なくとも１つの作動要素を有する。光軸の方向における顕微鏡台の移動を制限するために、焦点合わせ装置と協働する、調整可能なストッパ機構が設けられる。調整可能なストッパ機構は調整可能なネジおよびピンを備え、ピンは調整可能なネジと協働し、且つ第１の大歯車に設けられるスロットの中に摺動するために取り付けられる。【選択図】図３
2006317936.tif 000002
【特許請求の範囲】
【請求項１】
顕微鏡スタンドと、当該顕微鏡スタンドの内側に配置された焦点合わせ装置と、当該焦点合わせ装置の端部に移動可能に配された少なくとも１つの作動要素とを備えて構成された側壁を有する顕微鏡にして、焦点合わせ装置の上記端部が顕微鏡の側壁を通って突き出ている、顕微鏡において、
−少なくとも第１の軸および第２の軸を有する焦点合わせ装置と、
−前記第２の軸における第２大歯車に形成されたスロットと、
−前記スロットの中に摺動可能に取り付けられたピンと、
−前記ピンの相対移動を限定する際に当該ピンによって接触することができるように、前記焦点合わせ装置に配置された調整可能なストッパと、を備える顕微鏡にして、前記焦点合わせ装置の第１の軸は少なくとも第１の大歯車を保持し、第２の軸は少なくとも第２の大歯車を保持し、前記第１の軸から前記第２の軸に回転移動を伝達する、顕微鏡。
【請求項２】
前記第２の軸における大歯車に形成されたスロットは、第１の端部および第２の端部を画定し、その両端部が前記ピンの摺動移動を制限する円弧の形態である、請求項１に記載の顕微鏡。
【請求項３】
前記ピンが前記調整可能なネジの上端部および下端部と作動関係にあるように、前記調整可能なストッパは、前記焦点合わせ装置の凹部に取り付けられ且つ前記焦点合わせ装置を通って延在する調整可能なネジである、請求項１に記載の顕微鏡。
【請求項４】
前記調整可能なネジが前記ピンと接触状態にあり、前記ピンが前記スロットの第１の端部および第２の端部と接触状態にない間、前記ピンは前記スロットにおいて摺動するように構成されている、請求項３に記載の顕微鏡。
【請求項５】
少なくとも１つの作動要素は、前記焦点合わせ装置の第１の軸の第１端部で第１作動要素を、第１の軸の第２端部で第２作動要素を有する、請求項１に記載の顕微鏡。第１の端部および第２の端部で、
【請求項６】
顕微鏡台が前記顕微鏡スタンドに対して移動可能に取り付けられ、少なくとも１つの対物レンズが、その作業位置で光軸を画定し、前記焦点合わせ装置の少なくとも１つの作動要素は、前記顕微鏡台と前記対物レンズとの間の相対的移動をもたらすように構成されている、請求項１に記載の顕微鏡。
【請求項７】
細長いスロットが前記顕微鏡スタンドの各側壁に設けられ、前記側壁は水平方向および垂直方向における前記少なくとも１つの作動要素の位置変更を可能にする、請求項６に記載の顕微鏡。
【請求項８】
前記焦点合わせ装置は枢軸を備え、当該枢軸を中心にして前記焦点合わせ装置、したがって前記少なくとも１つの作動要素が枢動可能であって、前記作動要素の位置は前記顕微鏡スタンドの側壁に対して調整可能である、請求項６に記載の顕微鏡。
【請求項９】
前記第２の軸は同軸に配置された第１の大歯車および第２の大歯車を備えて構成される大歯車構成を保持し、前記第１の大歯車は前記スロットおよび前記第２の大歯車より大きな直径を有し、前記第１の軸の回転移動は前記第１の大歯車によって前記第２の軸での大歯車構成に伝達される、請求項１に記載の顕微鏡。
【請求項１０】
少なくとも第１の軸および第２の軸を有し、第１の軸は少なくとも大歯車を保持し、第２の軸は少なくとも１つの大歯車を保持して、前記第１の軸から前記第２の軸に回転移動を伝達する、顕微鏡用焦点合わせ装置にして、
−顕微鏡の光軸に沿って顕微鏡台の移動を行うために、焦点合わせ装置の第１の軸に装着された少なくとも１つの作動要素と、
−前記第２の軸での大歯車におけるスロットと、
−前記スロットの中に摺動するように取り付けられたピンと、
−焦点合わせ装置に設けられ、前記摺動可能に取り付けられたピンと協働する調整可能なストッパと、
を備える、顕微鏡用の焦点合わせ装置。
【請求項１１】
前記第２の軸での大歯車に形成されたスロットは、第１の端部および第２の端部を画定し、その両端部が前記ピンの摺動移動を制限する円弧の形態である、請求項１０に記載の焦点合わせ装置。
【請求項１２】
前記ピンが前記調整可能なネジの上端部および下端部と作動関係にあるように、前記調整可能なストッパは、前記焦点合わせ装置の凹部に取り付けられ且つ前記焦点合わせ装置を通って延在する調整可能なネジである、請求項１０に記載の焦点合わせ装置。
【請求項１３】
前記調整可能なネジが前記ピンと接触状態にあり、前記ピンが前記スロットの第１の端部および第２の端部と接触状態にない間、前記ピンは前記スロットにおいて摺動するように構成されている、請求項１２に記載の焦点合わせ装置。
【請求項１４】
前記第２の軸は同軸に配置された第１の大歯車および第２の大歯車を備えて構成される大歯車構成を保持し、前記第１の大歯車は前記スロットおよび前記第２の大歯車より大きな直径を有し、前記第１の軸の回転移動は前記第１の大歯車によって前記第２の軸での大歯車構成に伝達される、請求項１０に記載の焦点合わせ装置。
【請求項１５】
大歯車は前記焦点合わせ装置の前記第１の軸に形成され、大歯車構成は第２の軸に設けられる、請求項１４に記載の焦点合わせ装置。
【請求項１６】
前記ピンは、前記第１の大歯車の周縁に取り付けられる、請求項１０に記載の焦点合わせ装置。
【発明の詳細な説明】
【技術分野】
【０００１】
本発明は、顕微鏡に関する。特に、本発明は、高さを調整可能な焦点合わせ装置を有した顕微鏡に関する。本発明はさらに、顕微鏡用の焦点合わせ装置に関する。
【背景技術】
【０００２】
顕微鏡は、公知の機器である。正立顕微鏡による焦点合わせは、作業位置における顕微鏡台（顕微鏡ステージ）上の試料と対物レンズの相対的な位置の変更によって行われる。これは、タレットの移動または検査対象の試料が位置している顕微鏡台の移動によって行うことができる。一実施形態によれば、試料は専用のスライドまたは試料ホルダに位置決めされ、顕微鏡台は動作位置にある対物レンズの光軸の方向に移動される。顕微鏡台の移動による焦点合わせは主に、正立顕微鏡において行われる。
【０００３】
焦点合わせは、顕微鏡スタンドに設けられた少なくとも１つの作動要素を用いられるときに、顕微鏡台を対物レンズの光軸の方向に移動させて、利用者によって起動される。一般に、作動要素は、微調整焦点合わせ用の作動要素および粗調整焦点合わせ用の作動要素を備える。作動要素は、回転つまみの形態である。いずれの回転つまみも共通の回転軸に配置される。いずれの回転つまみの回転移動も、顕微鏡台の直線移動に伝達される。
【０００４】
１つまたは複数の作動要素は、顕微鏡スタンドの側壁の固定位置に設けられる。作動要素は、顕微鏡が配置される支持材から一定の距離で配置される。作動要素の構成は平均的な手の大きさの利用者向けに最適化される。手の大きい利用者の場合には作動要素の構成は低すぎ、手の小さい利用者の場合には作動要素の構成は高すぎる。したがって、平均的な大きさから外れた手の大きさの利用者が顕微鏡を使用する場合には、使い心地はよくなく、疲労を招くかまたは筋肉の張りを生じうる。特許文献１は、焦点合わせ装置の高さ調整の可能な焦点合わせ装置を示している。高さ調整の結果として、顕微鏡の側壁における作動要素の位置が変更される。作動要素の位置は、利用者の人間工学的要件および／または好みに対して調整可能である。作動要素の位置を変更することによって、顕微鏡台のレベルも変更することはこれまではあまり認識されてこなかった。顕微鏡台の移動範囲がずれ、これによりスライドまたは顕微鏡対物レンズの損傷を生じうる。
【０００５】
特許文献２は顕微鏡スタンドの内側に配置される焦点合わせ装置を開示しており、少なくとも１つの作動要素が焦点合わせ装置の第１の端部および第２の端部に設けられ、そのそれぞれが顕微鏡スタンドの側壁を通って突出している。焦点合わせ装置は、光軸の方向における顕微鏡台の相対的な移動を制限するための調整可能なストッパ機構を有する。調整可能なストッパ機構は複数の部分を備え、簡単かつコスト効率のよい組み立てが可能ではない。
【０００６】
【特許文献１】ＤＥ １０３ ４０ ７２１．９
【特許文献２】米国特許出願第１０／８１０，３３６号
【発明の開示】
【課題を解決するための手段】
【０００７】
本発明の一般的な目的は、すべての利用者にとって人間工学的に使用しやすく、顕微鏡対物レンズおよび／または顕微鏡スライドに対する潜在的な損傷を回避し、簡単且つコスト効率のよい構造である顕微鏡を提供することにある。
【０００８】
この目的は、
顕微鏡スタンドと、当該顕微鏡スタンドの内側に配置された焦点合わせ装置と、当該焦点合わせ装置の端部に移動可能に配された少なくとも１つの作動要素とを備えて構成された側壁を有する顕微鏡にして、焦点合わせ装置の上記端部が顕微鏡の側壁を通って突き出ている、顕微鏡において、
−少なくとも第１の軸および第２の軸を有する焦点合わせ装置と、
−前記第２の軸における第２大歯車に形成されたスロットと、
−前記スロットの中に摺動可能に取り付けられたピンと、
−前記ピンの相対移動を限定する際に当該ピンによって接触することができるように、前記焦点合わせ装置に配置された調整可能なストッパと、を備える顕微鏡にして、前記焦点合わせ装置の第１の軸は少なくとも第１の大歯車を保持し、第２の軸は少なくとも第２の大歯車を保持し、前記第１の軸から前記第２の軸に回転移動を伝達する、顕微鏡によって達成される。
【０００９】
本発明の別の目的は、すべての利用者によって人間工学的に使用しやすく、顕微鏡対物レンズおよび／または顕微鏡スライドに対する潜在的な損傷を回避し、簡単且つコスト効率のよい構造である顕微鏡用の焦点合わせ装置を提供することにある。
【００１０】
この目的は、
少なくとも第１の軸および第２の軸を有し、第１の軸は少なくとも大歯車を保持し、第２の軸は少なくとも１つの大歯車を保持して、前記第１の軸から前記第２の軸に回転移動を伝達する、顕微鏡用焦点合わせ装置にして、
−顕微鏡の光軸に沿って顕微鏡台の移動を行うために、焦点合わせ装置の第１の軸に装着された少なくとも１つの作動要素と、
−光軸の方向において顕微鏡台の動きを限定するよう焦点合わせ装置と協働する調整可能なストッパ機構と、
を備える、顕微鏡用の焦点合わせ装置によって達成される。
【発明の効果】
【００１１】
顕微鏡スタンドの内側に配置される焦点合わせ装置を備えることが顕微鏡には好都合である。焦点合わせ装置は、少なくとも第１の軸および第２の軸を有し、第１の軸は少なくとも大歯車を保持し、第２の軸は少なくとも１つの大歯車を保持し、第１の軸から第２の軸までの回転移動を伝達する。スロットは、第２の軸上の大歯車に形成される。ピンは、上記のスロット内部に摺動可能に取り付けられる。調整可能なストッパは、ピンによって接触されることができるように、焦点合わせ装置に配置される。
【００１２】
第２の軸上の大歯車に形成されるスロットは、第１の端部および第２の端部を画定する円弧の形態を有し、いずれの端部もピンの摺動移動を制限する。調整可能なストッパは、焦点合わせ装置の凹部に取り付けられた調整可能なネジによって形成される。調整可能なネジは焦点合わせ装置を通って延在し、ピンが調整可能なネジの上端部および下端部と作動関係にあるようにすることができる。調整可能なネジがピンと接触状態にあり、ピンが上記のスロットの第１の端部および第２の端部と接触状態にない間、ピンはスロットにおいて摺動する。ピンの摺動移動は、円弧の第１の端部および第２の端部によって制限される。
【００１３】
顕微鏡は少なくとも１つの作動要素を有し、少なくとも１つの作動要素は焦点合わせ装置の第１の端部および第２の端部に設けられ、そのそれぞれは顕微鏡スタンドの側壁を通って突出する。顕微鏡台は、顕微鏡スタンドに対して移動可能に取り付けられる。少なくとも１つの対物レンズが設けられ、その作業位置で光軸を画定する。焦点合わせ装置の上記の少なくとも１つの作動要素は、顕微鏡台と対物レンズとの間の相対的移動を行う。細長いスロットは、顕微鏡スタンドの各側壁に設けられ、水平方向および垂直方向における上記の少なくとも１つの作動要素の位置の変更を可能にする。焦点合わせ装置は、枢軸を備え、枢軸を中心にして焦点合わせ装置、したがって上記の少なくとも１つの作動要素は枢動可能であることから、作動要素の位置は顕微鏡スタンドの側壁に対して調整可能である。
【００１４】
第２の軸は大歯車の構成を保持し、大歯車の構成は同軸に配置される第１の大歯車および第２の大歯車を備え、第１の大歯車はスロットと第２の大歯車より大きい直径を有し、第１の軸の回転移動が第１の大歯車によって第２の軸上の大歯車の構成に伝達される。
【００１５】
顕微鏡用の焦点合わせ装置は、顕微鏡の光軸に沿って顕微鏡台の移動を行うために、焦点合わせ装置の第１の軸に装着される少なくとも１つの作動要素を有する。第１の軸は少なくとも大歯車を保持し、第２の軸は少なくとも１つの大歯車を保持し、第１の軸から第２の軸への回転移動を伝達する。スロットは、第２の軸上の大歯車に形成される。ピンは、上記のスロットの中に摺動するために取り付けられる。調整可能なストッパは、焦点合わせ装置に設けられ、摺動可能に取り付けられるピンと協働している。
【００１６】
第２の軸上の大歯車に形成されるスロットは、第１の端部および第２の端部を画定する円弧の形態を有し、いずれの端部もピンの摺動移動を制限する。調整可能なストッパは、焦点合わせ装置の凹部に取り付けられた調整可能なネジであり、焦点合わせ装置を通って延在し、ピンが調整可能なネジの上端部および下端部と作動関係にあるようにすることができる。調整可能なネジがピンと接触状態にあり、ピンが上記のスロットの第１の端部および第２の端部と接触状態にない間、ピンはスロットにおいて摺動する。第２の軸は大歯車の構成を保持し、大歯車の構成は同軸に配置される第１の大歯車および第２の大歯車を備える。第１の大歯車はスロットと第２の大歯車より大きい直径を有し、第１の軸の回転移動が第１の大歯車によって第２の軸上の大歯車の構成に伝達される。大歯車は焦点合わせ装置の第１の軸に形成され、大歯車の構成は第２の軸に設けられる。ピンは、第１の大歯車の周縁に取り付けられる。
【発明を実施するための最良の形態】
【００１７】
本発明の教示を有利に具体化し、展開する種々の方法がある。図面を参照されたい。
【００１８】
図１〜図７では、類似の要素は同一の参照符号で表される。
【００１９】
図１は顕微鏡１の側面図を示し、本発明の教示を具体化している。顕微鏡１は、顕微鏡スタンド２を有する。顕微鏡１は、支持材１０上に配置される。さらに、タレット３は顕微鏡スタンド２に設けられ、タレットは少なくとも１つの対物レンズ４を保持する。対物レンズ４は、タレット３によって作業位置に移動される。対物レンズ４が作業位置にあるとき、顕微鏡台６に対して垂直である光軸５を画定する。顕微鏡台６上には、検査対象の試料７を構成することができる。顕微鏡１は焦点合わせ装置２０（図３参照）を備え、焦点合わせ装置２０は試料７に焦点を合わせるために用いられる。焦点合わせ装置２０は、顕微鏡スタンド２の内側に取り付けられる（図６参照）。この焦点合わせ装置２０によって、対物レンズ４の光軸５の方向において顕微鏡スタンド２に対して顕微鏡台６を移動することができる。焦点合わせ装置２０は、２つの作動要素８（図１の側面図では１つのみの作動要素を示す）を保持する。各作動要素８は、顕微鏡スタンド２の２つの側壁２ａおよび２ｂの１つに装着される。これらの作動要素８によって、利用者は、光軸の方向における顕微鏡台６の位置決めを行うことができる。顕微鏡台６の位置決めにより、顕微鏡台６上に構成された試料７の焦点合わせを生じる。作動要素８の前方には、位置決め要素９が設けられる。位置決め要素９は、顕微鏡台６と接続され、光軸５に垂直な方向における顕微鏡台６の位置決めを可能にし、これにより今度は、対物レンズ４の結像場における物体７の位置決めを可能にする。位置決め要素９はＸ要素９ａを有し、Ｘ要素９ａはＸ方向における顕微鏡台６の位置決めを可能にする。さらに、位置決め要素９はＹ要素９ｂを有し、Ｙ要素９ｂはＹ方向における顕微鏡台６の位置決めを可能にする。
【００２０】
図２は顕微鏡１の斜視図を提供しているが、顕微鏡スタンド２のより分かりやすい図を得るために複数の要素は示されていない。顕微鏡スタンド２は、チューブ（図示せず）に取り付けるためのフランジ１１を有する。さらに、顕微鏡スタンド２は、顕微鏡台６用の取り付け要素１２を備える（図１参照）。取り付け要素１２は、焦点合わせ装置２０によって、動作位置に配置される対物レンズ４の光軸５に対して平行に移動される。顕微鏡スタンド２の内側に焦点合わせ装置２０は取り付けられ、焦点合わせ装置２０は第１の端部１４ａおよび第２の端部１４ｂ（図３参照）を有する。第１の端部１４ａおよび第２の端部１４ｂは、顕微鏡スタンド２の第１の側壁２ａおよび第２の側壁２ｂに形成される開口部１５を通って延在する。図１の説明で既に述べたように、作動要素８は、第１の端部１４ａおよび第２の端部１４ｂに取り付けられる。図２に示されている実施形態では、開口部１５は、湾曲した細長い孔の形状を有し、顕微鏡スタンド２の対向する側壁２ａおよび側壁２ｂに形成されている。開口部１５が直線上の孔の形状であってもよいことは当業者には明白であろう。
【００２１】
少なくとも１つの作動要素８は、焦点合わせ装置２０に取り付けられ、顕微鏡スタンド２の側壁２ａおよび側壁２ｂで動作可能に位置決めされる。作動要素８の回転は、顕微鏡台６の上向きまたは下向きの移動を生じる。顕微鏡スタンド２の内側に位置決めされる焦点合わせ装置２０を枢動することができ、これにより、顕微鏡スタンド２の基部４０から遠ざかったり基部４０に近づいたりする顕微鏡スタンド２の側壁２ａにおける作動要素８の移動を生じる。作動要素８の高さ調整によれば、顕微鏡台６もまた移動する。したがって、顕微鏡台６上に構成された試料または対物レンズの損傷を回避するために、作動要素８に使用によって生じる顕微鏡台６の移動は制限されることが必要となる。
【００２２】
図３は、顕微鏡スタンド２の内側に取り付けられる焦点合わせ装置２０の３次元図を示す。焦点合わせ装置２０は、焦点合わせ装置２０を枢動することができる枢軸２３を画定する。焦点合わせ装置２０は、軸のピン（図３には示さず）が誘導される細長い穿孔２５を備え、この穿孔によって焦点合わせ装置２０が顕微鏡スタンド２の内側に枢動可能に取り付けられる。焦点合わせ装置２０の枢軸２３は、第２の軸２１と同軸である。第１の軸２６は、焦点合わせ装置２０の内部に設けられ、第２の軸２１に平行である。第１の軸２６は、第１の端部１４ａおよび第２の端部１４ｂを画定し、そのそれぞれに焦点合わせ装置２０の作動要素８が取り付けられる。第１の軸２６、焦点合わせ装置２０および第２の軸２１の間の回転移動は、滑ることなく伝達される。したがって、大歯車構成２２は、第２の軸２１に固定される。複数の歯車の歯は、第１の軸２６の中央の領域に形成され、第１の大歯車２１ａを構成する。大歯車構成２２は、直径の大きい第１の大歯車２８ａおよび直径の小さい第２の大歯車２８ｂを備える。第１の大歯車２８ａの直径は、第２の大歯車２８ｂよりも大きい。大歯車構成２２は、焦点合わせ装置２０の第２の軸２１に取り付けられる。第２の大歯車２８ｂはその回転移動を歯車ラック４２に伝達し、歯車ラック４２は光軸５の方向に顕微鏡台６を移動する。したがって、大歯車構成２２は、第２の軸２１に永久に取り付けられる。大歯車構成２２の第２の大歯車２８ｂは、歯車ラック４２と噛合状態にある。ピン６０は、大歯車構成２２の第１の大歯車２８ａの周縁に設けられる。スロット６１は、第２の軸２１上にある大歯車２８ａに形成される。
【００２３】
図４は、焦点合わせ装置２０の構成が顕微鏡スタンド２の内部２ｃにあることを示す。焦点合わせ装置２０は、顕微鏡スタンド２の２つの対向する側壁２ａおよび２ｂの間に延在する。大歯車構成２２の第２の大歯車２８ｂは、歯車ラック４２と噛合状態にある。上記のスロット６１の中に摺動可能に取り付けられるピン６０は、焦点合わせ装置２０の調整可能なストッパ６２と接触状態にある。ピン６０は、第２の軸における大歯車２８ａに形成されたスロット６１に摺動可能に取り付けられる。スロット６１は、円弧の形態を有する。円弧は第１の端部６５および第２の端部６６を画定し、端部はいずれも、ピン６０が焦点合わせ装置２０に設けられる調整可能なストッパ６２と接触状態にある間、ピン６０の摺動移動を制限する。調整可能なストッパ６２は調整可能なネジを備え、調整可能なネジは焦点合わせ装置２０の凹部３３に取り付けられる。調整可能なストッパ６２は、焦点合わせ装置２０を通って延在し、ピン６０が調整可能なネジの上端部（図４参照）や下端部（図５参照）と作動関係にあるようにすることができる。
【００２４】
図５は、焦点合わせ装置２０の構成が顕微鏡スタンド２の内部２ｃにあることを示す。焦点合わせ装置２０は、顕微鏡スタンド２の２つの対向する側壁２ａおよび２ｂの間に延在する。図４（図５）に示されている位置では、ピン６０は、調整可能なネジの下端部と作動関係にあるようにすることができる。一旦ピン６０が調整可能なネジ（上端部および下端部）と接触状態になると、スロット６１の第１の端部６５または第２の端部６６に達するまで、大歯車２８ａは依然として回転することができる。
【００２５】
図６は、大歯車構成２２の側面図を示す。大歯車構成２２は、第１の大歯車２８ａおよび第２の大歯車２８ｂを備え、いずれの歯車も同軸に配置される。第１の大歯車２８ａは、第２の大歯車２８ｂより直径が大きい。ピン６０は、第１の大歯車２８ａの外周縁に位置決めされる。ピン６０がスロット６１の内部で摺動することができるように、ピン６０はナット７０および座金７２によって第１の大歯車２８ａに取り付けられる。
【００２６】
図７は、大歯車構成２２の平面図を示す。第２の大歯車２８ｂは、ピン６０を取り付けるためのナット７０を保持する第１の大歯車２８ａの側に設けられる。第２の大歯車２８ｂは、歯車ラック４２の幅に略等しい長さを有する。
【図面の簡単な説明】
【００２７】
【図１】本発明が具体化される顕微鏡の側面図を示す。
【図２】顕微鏡の斜視図を示し、本発明を用いる顕微鏡の要素をよりよく示すために、複数の要素は示されていない。
【図３】本発明による焦点合わせ装置の３次元図の実施形態を示す。
【図４】顕微鏡スタンドの内側にある焦点合わせ装置の構成を示し、ピンは調整可能なストッパの上側と接触している。
【図５】顕微鏡スタンドの内側にある焦点合わせ装置の構成を示し、ピンは調整可能なストッパの下側と接触している。
【図６】大歯車構成の側面図を示す。
【図７】大歯車構成の平面図を示す。
【符号の説明】
【００２８】
１  顕微鏡
２  顕微鏡スタンド
２ａ  第１の側壁
２ｂ  第２の側壁
２ｃ  内部
３  タレット
４  対物レンズ
５  光軸
６  顕微鏡台
７  試料
８  作動要素
９  位置決め要素
９ａ  Ｘ要素
９ｂ  Ｙ要素
１０  支持材
１１  フランジ
１２  取り付け要素
１４ａ  第１の端部
１４ｂ  第２の端部
１５  開口部
２０  焦点合わせ装置
２１  第２の軸
２１ａ  第１の大歯車
２１ｂ  第２の大歯車
２２  大歯車構成
２３  枢軸
２５  細長い穿孔
２６  第１の軸
２８ａ  第１の大歯車
２８ｂ  第２の大歯車
３３  凹部
４０  基部
４２  歯車ラック
６０  ピン
６１  スロット
６２  調整可能なストッパ
６５  第１の端部
６６  第２の端部
７０  ナット
７２  座金
【図１】
2006317936.tif 000003
【図２】
2006317936.tif 000004
【図３】
2006317936.tif 000005
【図４】
2006317936.tif 000006
【図５】
2006317936.tif 000007
【図６】
2006317936.tif 000008
【図７】
2006317936.tif 000009
【手続補正書】
【提出日】平成18年5月9日(2006.5.9)
【手続補正１】
【補正対象書類名】特許請求の範囲
【補正対象項目名】請求項３
【補正方法】変更
【補正の内容】
【請求項３】
前記ピンが前記調整可能なネジの上端部および下端部と作動関係にあるように、前記調整可能なストッパは、前記焦点合わせ装置の凹部に取り付けられ且つ前記焦点合わせ装置を通って延在する調整可能なネジである、請求項１または２に記載の顕微鏡。
【手続補正２】
【補正対象書類名】特許請求の範囲
【補正対象項目名】請求項５
【補正方法】変更
【補正の内容】
【請求項５】
少なくとも１つの作動要素は、前記焦点合わせ装置の第１の軸の第１端部で第１作動要素を、第１の軸の第２端部で第２作動要素を有する、請求項１に記載の顕微鏡。